(57)【要約】【課題】ピリングを抑え、且つ高い保湿効果を有する手袋を提供する。【解決手段】アウター手袋２０とインナー手袋３０とを備えており、インナー手袋は、少なくともコラーゲンペプチド４０が練り込まれた繊維を含む繊維で製造されており、アウター手袋の手挿入口２１とインナー手袋の手挿入口３１とが互いに対向した状態で連続している。  インナー手袋をコラーゲンペプチドが練り込まれた繊維で製造するので洗濯を繰り返した後でもコラーゲンペプチドが繊維から脱落しにくく、高い保湿性能を維持できる。また、保湿性は高いが手玉が生じやすい繊維をインナー手袋の素材として使用し、ピリングが生じ難い繊維をアウター手袋の素材として使用することで、アウター手袋の編目からインナー手袋の繊維（ピリング）が露出することがなくなり、見た目の悪化を防止できる。【選択図】図１
2014088637.tif 000002
【特許請求の範囲】
【請求項１】
アウター手袋とインナー手袋とを備えており、
前記インナー手袋は、少なくともコラーゲンペプチドが練り込まれた繊維を含む繊維で製造されており、
前記アウター手袋の手挿入口と前記インナー手袋の手挿入口とが互いに対向した状態で連続していることを特徴とする手袋。
【請求項２】
前記アウター手袋が、ピリングが生じ難い繊維で製造されていることを特徴とする請求項１に記載の手袋。
【請求項３】
アウター手袋とインナー手袋とを備える手袋の製造方法において、
前記インナー手袋は、少なくともコラーゲンペプチドが練り込まれた繊維を含む繊維で製造されており、
前記アウター手袋と前記インナー手袋のうちいずれか一方の手袋を指先から手挿入口まで製造するステップと、
繊維の種類を変更するステップと、
当該一方の手袋の手挿入口から連続して他方の手袋の手挿入口を製造するステップと、
当該他方の手袋の指先まで製造するステップを備えることを特徴とする手袋の製造方法。
【発明の詳細な説明】
【技術分野】
【０００１】
本発明はピリングを抑え、且つ高い保湿効果を有する手袋に関する。
【背景技術】
【０００２】
手袋には肌触りの良さや伸縮性が求められることが多く、ポリエステル、レーヨン、アクリル、ナイロン等の合成繊維、綿、ウール、カシミヤ、アンゴラ等の天然繊維、これら繊維の混紡等の素材を用いた織物や編物として製造されている。
手袋の表面は周囲の物と接触する機会が多く、頻繁に摩擦が生じるため、素材の種類によってはピリング（毛玉）の発生が問題になることがある。
ピリングは繊維の強さや繊維表面の性質（毛羽立ち具合）などの総合要因によって発生することが知られており、見た目の悪化や機能（保湿性、防寒性等）の低下を招くことから、ピリングを抑制できる繊維・編地の開発が進められている。
【０００３】
例えば特許文献１には、２本の糸を上下に重ねた糸群によって編地を形成し、糸群のうちピリングが少ない方の糸（ナイロン糸）を表地に露出させ、ピリングが多い方の糸（アクリル糸）を裏地に露出させると共に、表地の編目の間からアクリル糸が露出しないような工夫を施した技術が開示されている。
この編地よると、ナイロン糸からなる表地にはアクリル糸がほとんど露出せず、主にナイロン糸のみに摩擦が生じるため、表地のピリングを抑制することができる。一方、裏地にはアクリル糸が露出することになるが、例えばこの編地を靴下に用いる場合には、床面や靴内で生じる摩擦のほとんどが表地に作用し、裏地にはあまり作用しないため、裏地のピリングも抑制できる。
また、手袋にはスキンケアの機能も求められることがあり、保湿性を高めるべく繊維にアミノ酸や蛋白質を付与する技術も知られている（特許文献２〜４）。
【先行技術文献】
【特許文献】
【０００４】
【特許文献１】特開平１０−２５９５５１号公報
【特許文献２】特許第４７９２３１２号公報
【特許文献３】特開平８−６０５４７号公報
【特許文献４】特開２００２−１３０７１号公報
【発明の概要】
【発明が解決しようとする課題】
【０００５】
しかし、上記従来の技術を手袋に使用すると以下のような問題がある。
すなわち、特許文献１記載の編地は、２本の糸を上下に重ね合わせた一本の糸群でメリヤス編みを形成しており、表地の編目からアクリル糸が露出しないようにメリヤス編み構造のループの高さや幅を調節している。すなわち、この編地は表裏が一体となったいわゆる一枚ものであり、当然表裏一体に伸縮する。したがって、仮にこの編地で手袋を製造した場合、高い伸縮性が要求される指の関節箇所等では、編地が伸びた状態（例えば掌を握りしめた状態）では表地が裏地と一体に伸びる結果、表地の編目が大きく開き、そこからアクリル糸が表地に露出してしまい、ピリングの抑制効果が低下するおそれがある。すなわち、特許文献１記載の編地は、靴下のように摩擦の発生箇所に高い伸縮性が要求されない物には適しているが、手袋のように摩擦の発生箇所に高い伸縮性が要求される物には適していないといえる。
また、特許文献２〜４記載の繊維はスキンケア機能に着目したものであり、ピリングを抑制する手段については何ら開示されていない。
【０００６】
本発明は上記問題に鑑み、ピリングを抑え、且つ高い保湿効果を有する手袋を提供することを目的とする。
【課題を解決するための手段】
【０００７】
本発明の手袋は、アウター手袋とインナー手袋とを備えており、前記インナー手袋は、少なくともコラーゲンペプチドが練り込まれた繊維を含む繊維で製造されており、前記アウター手袋の手挿入口と前記インナー手袋の手挿入口とが互いに対向した状態で連続していることを特徴とする。
また、アウター手袋が、ピリングが生じ難い繊維で製造されていることを特徴とする。
本発明の手袋の製造方法は、アウター手袋とインナー手袋とを備える手袋において、インナー手袋は、少なくともコラーゲンペプチドが練り込まれた繊維を含む繊維で製造されており、前記アウター手袋と前記インナー手袋のうちいずれか一方の手袋を指先から手挿入口まで製造するステップと、繊維の種類を変更するステップと、当該一方の手袋の手挿入口から連続して他方の手袋の手挿入口を製造するステップと、当該他方の手袋の指先まで製造するステップを備えることを特徴とする。
【発明の効果】
【０００８】
インナー手袋が、少なくともコラーゲンペプチドが練り込まれた繊維で製造されるので、従来のように保湿効果が高い物質を繊維表面に付着させる場合と比較して、洗濯を繰り返した後でもコラーゲンペプチドが繊維から脱落しにくく、高い保湿性能を維持できる。
【０００９】
また、コラーゲンペプチドを練り込むには繊維を化学繊維、すなわちアクリル、ポリエステル、ナイロン等の合成繊維、レーヨン等の再生繊維、アセテート等の半合成繊維等にせざるを得ないが、一般的に化学繊維は天然繊維と比較して強く切れにくいため、発生したピリングが脱落せずに繊維表面に残ってしまい、見た目の悪化を招くという問題がある。
そこで、本発明では、保湿性は高いがピリングが発生し易い繊維をインナー手袋の素材として使用し、ピリングが生じ難い繊維をアウター手袋の素材として使用する。インナー手袋はその手挿入口がアウター手袋の手挿入口と連続しているだけであり、高い伸縮性が要求される箇所において、編地が伸びた状態（例えば掌を握りしめた状態）でも、インナー手袋はアウター手袋と別体に伸びるので、アウター手袋の編目からインナー手袋の繊維及びピリングが露出することがなくなり、見た目の悪化を防止できる。
手袋の製造方法として、一方の手袋を指先から手挿入口まで製造した後、繊維の種類を変えて他方の手袋を手挿入口から指先まで製造することにすれば、製造時間の短縮を図ることができる。
【図面の簡単な説明】
【００１０】
【図１】インナー手袋をアウター手袋に内挿する前の状態を示す図
【図２】コラーゲンペプチドを練り込んだ繊維を示す顕微鏡画像
【図３】インナー手袋をアウター手袋に内挿した後の状態を示す図
【発明を実施するための形態】
【００１１】
以下、図面を参照して本発明の手袋及び手袋の製造方法について説明する。
図１に示すように、手袋１０はアウター手袋２０とインナー手袋３０の２つからなる。
インナー手袋３０は、少なくともコラーゲンペプチドが練り込まれた繊維を含む繊維を素材に用いて編物や織物として製造される。
本実施の形態においてはインナー手袋３０の素材として、レーヨン：ポリエステル＝７：３の割合からなる混紡糸を使用しており、原料としてのポリエステルにコラーゲンペプチドを練り込んだ状態で紡糸し、これを周知の手段により加工することで図２に示すようなコラーゲンペプチド４０を練り込んだ繊維を製造できる。
【００１２】
コラーゲンペプチドは保湿性が高い物質として知られており、動物由来のコラーゲンたんぱく加水分解物である。主に動物の皮・骨・鱗などを加熱抽出して得られるゼラチンを、酵素や酸／アルカリで加水分解し、精製して得られる。コラーゲンペプチドはゼラチンよりも分子量が低く、低温状態でもゲル化しないという特性をもつ。コラーゲンペプチドの平均分子量は数千程度であることが多く、２０００〜１００００程度の大きさをもったペプチドの集合体である。最終製品は乾燥させた粉末・顆粒や溶液の形で提供される。
【００１３】
なお、紡糸の方法としては溶融、乾式、湿式のいずれでもよく、また、ステープルとフィラメントのいずれを製造してもよい。
混紡糸にする場合、コラーゲンペプチド４０が練り込まれた繊維と併用する繊維の種類には特に制限がなく、例えば天然繊維や、有機繊維、無機繊維、再生繊維、半合成繊維及び合成繊維等の化学繊維が挙げられるが、インナー手袋３０に要求される肌触りの良さや伸縮性の条件を満たすものが好ましい。
また、混紡糸ではなく、コラーゲンペプチド４０が練り込まれた繊維のみでインナー手袋３０を製造してもよい。
【００１４】
アウター手袋２０の素材は特に限定されるものではないが、例えばナイロン系繊維等のピリングが生じ難い繊維を用いるのが好ましい。また、綿やウール等の天然繊維の場合、ピリングは生じるものの繊維の強度が低いために摩擦によってピリングの大半が取れてしまう。したがって、天然繊維のように一旦発生したピリングが取れてしまい、繊維表面に残らない性質を持つ繊維も「ピリングが生じ難い繊維」に含むものとする。
【００１５】
アウター手袋２０の手挿入口２１とインナー手袋３０の手挿入口３１は互いに対向した状態で連続するようになっている。
すなわち、図１に示すようにインナー手袋３０をアウター手袋２０に内挿する前の状態では、インナー手袋３０の内面側とアウター手袋２０の外面側が外部に露出した状態になっており、各手袋の手挿入口３１，２１同士を付き合わせた状態で縫合するか、又は一方の手袋（例えばインナー手袋３０）を指先から手挿入口３１の末端まで編み上げた後、繊維の種類を変えて他方の手袋（例えばアウター手袋２０）の手挿入口２１から指先までを一体的に編み上げることで、手挿入口２１，３１同士が連続するように加工されている。
その後、図３に示すように、インナー手袋３０をアウター手袋２０に内挿することで最終製品としての手袋１０が完成する。なお、手袋１０を手から外す際に、インナー手袋３０がアウター手袋２０から抜け出すことを防止するために、インナー手袋３０の一部とアウター手袋２０の一部を縫い合わせることにしてもよい。
【産業上の利用可能性】
【００１６】
本発明は、ピリングを抑え、且つ高い保湿効果を有する手袋に関するものであり、産業上の利用可能性を有する。
【符号の説明】
【００１７】
１０  手袋
２０  アウター手袋
２１  手挿入口
３０  インナー手袋
３１  手挿入口
４０  コラーゲンペプチド
【図１】
2014088637.tif 000003
【図２】
2014088637.tif 000004
【図３】
2014088637.tif 000005